(57)【要約】【課題】ウェブ切れ発生時のウェブ搬送装置の復旧時間を短縮するために、作業者の技量によらず、確実にウェブ切れ箇所を接続することができるウェブ搬送装置およびウェブ接続方法を提供する。【解決手段】ウェブ７を吸着する吸着部１４（または吸着部２４）を有する吸着ローラ２（または吸着ローラ３）を備え、ウェブ７を吸着ローラ２（または吸着ローラ３）の外周面に沿わせて搬送するウェブ搬送装置１であって、吸着ローラ２（または吸着ローラ３）の外周面にローラ軸２ｂ（またはローラ軸３ｂ）に対して平行な溝部１５（または溝部２５）を備え、かつ、吸着ローラ２（または吸着ローラ３）の外周面にローラ軸２ｂ（またはローラ軸３ｂ）に対して垂直なガイド部１６（またはガイド部２６）を備える構成とする。【選択図】図１１
2009220964.tif 000002
【特許請求の範囲】
【請求項１】
ウェブを吸着する吸着手段を有する吸着ローラを備え、
前記ウェブを前記吸着ローラの外周面に沿わせて搬送するウェブ搬送装置であって、
前記吸着ローラの外周面に該吸着ローラの軸に対して平行な溝部を備え、かつ、
前記吸着ローラの外周面に該吸着ローラの軸に対して垂直なガイド部を備える、
ことを特徴とするウェブ搬送装置。
【請求項２】
前記吸着手段は、
前記吸着ローラの外周面に形成される複数の吸引孔と、
該複数の吸引孔に接続される排気設備と、
によって構成する、
ことを特徴とする請求項１記載のウェブ搬送装置。
【請求項３】
前記ウェブは磁力によって吸着される性質を有し、
前記吸着手段は、
前記吸着ローラが有する電磁石によって構成する、
ことを特徴とする請求項１記載のウェブ搬送装置。
【請求項４】
前記溝部は、
前記ウェブの幅に比して広い範囲に形成する、
ことを特徴とする請求項１〜請求項３のいずれか一項に記載のウェブ搬送装置。
【請求項５】
前記ガイド部は、
前記ウェブの幅と略同幅に描かれる２本の平行線で構成する、
ことを特徴とする請求項１〜請求項４のいずれか一項に記載のウェブ搬送装置。
【請求項６】
前記吸着ローラには、前記吸着ローラから前記ウェブの搬送方向上流側へ延出する上流側ウェブと、前記吸着ローラから前記ウェブの搬送方向下流側へ延出する下流側ウェブとが、重ね合わせた状態で前記吸着ローラの外周面に保持され、
前記ウェブ搬送装置は、重ね合わされた状態で前記吸着ローラの外周面に吸着される前記上流側ウェブおよび前記下流側ウェブを、前記溝部に沿って切断する切断治具を備えている、
ことを特徴とする請求項１〜請求項５のいずれか一項に記載のウェブ搬送装置。
【請求項７】
ウェブを吸着する吸着手段を有する吸着ローラを備え、
前記ウェブを前記吸着ローラの外周面に沿わせて搬送するウェブ搬送装置に適用するウェブ接続方法であって、
前記吸着ローラの外周面に該吸着ローラの軸に対して垂直に形成するガイド部を目安として前記ウェブの位置を整えるウェブ位置調整工程と、
前記ウェブ位置調整工程の後に、前記吸着手段によって前記ウェブを保持するウェブ保持工程と、
前記ウェブ保持工程の後に、前記吸着ローラの外周面に該吸着ローラの軸に対して平行に形成する溝部に沿って前記ウェブを切断するウェブ切断工程と、
前記ウェブ切断工程の後に、切断箇所の両側に位置し、前記吸着手段によって保持される前記ウェブを接続するウェブ接続工程と、
を備える、
ことを特徴とするウェブ接続方法。
【請求項８】
前記ウェブ保持工程においては、
前記吸着ローラから前記ウェブの搬送方向上流側へ延出する上流側ウェブと、前記ウェブの搬送方向下流側へ延出する下流側ウェブとが、重ね合わされた状態で前記吸着ローラの外周面に保持される、
ことを特徴とする請求項７に記載のウェブ接続方法。
【請求項９】
前記吸着手段は、
前記吸着ローラの外周面に形成される複数の吸引孔と、
該複数の吸引孔に接続される排気設備と、
によって構成する、
ことを特徴とする請求項７または請求項８に記載のウェブ接続方法。
【請求項１０】
前記ウェブが磁力によって吸着される性質を有する場合であって、
前記吸着手段は、
前記吸着ローラが有する電磁石によって構成する、
ことを特徴とする請求項７または請求項８に記載のウェブ接続方法。
【請求項１１】
前記溝部は、
前記ウェブの幅に比して広い範囲に形成する、
ことを特徴とする請求項７〜請求項１０のいずれか一項に記載のウェブ接続方法。
【請求項１２】
前記ガイド部は、
前記ウェブの幅と略同幅に描かれる２本の平行線で構成する、
ことを特徴とする請求項７〜請求項１１のいずれか一項に記載のウェブ接続方法。
【発明の詳細な説明】
【技術分野】
【０００１】
本発明は、ウェブ搬送装置の技術に関し、より詳しくは、ウェブ切れ発生時において、速やかに復旧することができるウェブ搬送装置に関する。
【背景技術】
【０００２】
従来、シート成形機や輪転機等、様々な分野の装置において、シート状の部材（ウェブ）を搬送するウェブ搬送が広く行われており、そのためのウェブ搬送装置が種々開発され公知となっている。ウェブ搬送装置としては、例えば、以下の特許文献１に示すウェブ搬送装置が知られている。
【特許文献１】特開平２−９４２６２号公報
【発明の開示】
【発明が解決しようとする課題】
【０００３】
一般的にウェブ搬送装置では、装置内部の搬送経路の途中で予期せずにウェブが切断されてしまう現象（所謂ウェブ切れ）が発生する場合がある。ウェブ切れが発生すると、ウェブ搬送装置の停止が余儀なくされ、生産に多大な影響を及ぼしてしまう。
【０００４】
従来、ウェブ切れが発生した場合、ウェブの切断箇所を特定した上で、ウェブの切断箇所同士をテープ等で貼りあわせて接続し、その後ウェブ搬送装置を復旧するようにしている。
ウェブ切れが発生したとき、切断されたウェブにはテンションが掛かっていないため、接続しようとして作業者がウェブに触れると、ウェブは自由に変位してしまう。つまり、従来はウェブが自由に変位する不安定な状態で接続作業を行わなければならない状況であった。このため、作業者が思うようにウェブ同士を貼りあわせることができない場合があった。
【０００５】
また、切れたウェブ同士を貼りあわせて接続する作業は、作業者の技量や経験によって、接続の仕上がり具合（即ち、接続箇所の引張強度や曲がり・捻れ具合等の状況）に差異が出てしまうため、仕上がりが良くない場合には、復旧後にウェブの接続箇所が再度外れてしまい、再度の装置停止を招く場合もあった。
【０００６】
つまり、ウェブ切れ箇所の接続を確実かつ容易に行うことができなければ、さらにウェブ搬送装置の復旧時間が延びてしまい、生産に及ぼす影響を拡大させてしまう場合があった。このため、ウェブ搬送装置に対して、作業者の技量に左右されずに、確実かつ容易にウェブ切れ箇所を接続できる技術の開発が望まれている状況であった。
【０００７】
本発明は、係る現状を鑑みて成されたものであり、ウェブ切れ発生時のウェブ搬送装置の復旧時間を短縮するために、作業者の技量によらず、確実にウェブ切れ箇所を接続することができるウェブ搬送装置およびウェブ接続方法を提供することを課題としている。
【課題を解決するための手段】
【０００８】
本発明の解決しようとする課題は以上の如くであり、次にこの課題を解決するための手段を説明する。
【０００９】
即ち、請求項１においては、ウェブを吸着する吸着手段を有する吸着ローラを備え、前記ウェブを前記吸着ローラの外周面に沿わせて搬送するウェブ搬送装置であって、前記吸着ローラの外周面に該吸着ローラの軸に対して平行な溝部を備え、かつ、前記吸着ローラの外周面に該吸着ローラの軸に対して垂直なガイド部を備えるものである。
【００１０】
請求項２においては、前記吸着手段は、前記吸着ローラの外周面に形成される複数の吸引孔と、該複数の吸引孔に接続される排気設備と、によって構成するものである。
【００１１】
請求項３においては、前記ウェブは磁力によって吸着される性質を有し、前記吸着手段は、前記吸着ローラが有する電磁石によって構成するものである。
【００１２】
請求項４においては、前記溝部は、前記ウェブの幅に比して広い範囲に形成するものである。
【００１３】
請求項５においては、前記ガイド部は、前記ウェブの幅と略同幅に描かれる２本の平行線で構成するものである。
【００１４】
請求項６においては、前記吸着ローラには、前記吸着ローラから前記ウェブの搬送方向上流側へ延出する上流側ウェブと、前記吸着ローラから前記ウェブの搬送方向下流側へ延出する下流側ウェブとが、重ね合わせた状態で前記吸着ローラの外周面に保持され、前記ウェブ搬送装置は、重ね合わされた状態で前記吸着ローラの外周面に吸着される前記上流側ウェブおよび前記下流側ウェブを、前記溝部に沿って切断する切断治具を備えているものである。
【００１５】
請求項７においては、ウェブを吸着する吸着手段を有する吸着ローラを備え、前記ウェブを前記吸着ローラの外周面に沿わせて搬送するウェブ搬送装置に適用するウェブ接続方法であって、前記吸着ローラの外周面に該吸着ローラの軸に対して垂直に形成するガイド部を目安として前記ウェブの位置を整えるウェブ位置調整工程と、前記ウェブ位置調整工程の後に、前記吸着手段によって前記ウェブを保持するウェブ保持工程と、前記ウェブ保持工程の後に、前記吸着ローラの外周面に該吸着ローラの軸に対して平行に形成する溝部に沿って前記ウェブを切断するウェブ切断工程と、前記ウェブ切断工程の後に、切断箇所の両側に位置し、前記吸着手段によって保持される前記ウェブを接続するウェブ接続工程と、を備えるものである。
【００１６】
請求項８においては、前記ウェブ保持工程においては、前記吸着ローラから前記ウェブの搬送方向上流側へ延出する上流側ウェブと、前記ウェブの搬送方向下流側へ延出する下流側ウェブとが、重ね合わされた状態で前記吸着ローラの外周面に保持されるものである。
【００１７】
請求項９においては、前記吸着手段は、前記吸着ローラの外周面に形成される複数の吸引孔と、該複数の吸引孔に接続される排気設備と、によって構成するものである。
【００１８】
請求項１０においては、前記ウェブが磁力によって吸着される性質を有する場合であって、前記吸着手段は、前記吸着ローラが有する電磁石によって構成するものである。
【００１９】
請求項１１においては、前記溝部は、前記ウェブの幅に比して広い範囲に形成するものである。
【００２０】
請求項１２においては、前記ガイド部は、前記ウェブの幅と略同幅に描かれる２本の平行線で構成するものである。
【発明の効果】
【００２１】
本発明の効果として、以下に示すような効果を奏する。
【００２２】
請求項１においては、切断したウェブを、作業者の技量に係わらず容易かつ確実に接続することができる。これにより、ウェブ切れ発生時におけるウェブ搬送装置の復旧時間を従来に比して短縮することができる。
【００２３】
請求項２においては、ウェブの接続を行う箇所に、簡易な構成で確実にウェブを保持することができる。
【００２４】
請求項３においては、ウェブの接続を行う箇所に、簡易な構成で確実にウェブを保持することができる。
【００２５】
請求項４においては、ウェブの接続を行う作業者が、刃物を容易に溝部に宛がうことができる。これにより、作業者は、容易に溝部に沿って適切にウェブを切断することができる。
【００２６】
請求項５においては、ウェブを配置する位置の目安となるガイド部を、ウェブを傷つけることのない簡易な構成とすることができる。
【００２７】
請求項６においては、ウェブ切れ発生時において、吸着ローラの外周面に吸着させた上流側ウェブおよび下流側ウェブを重ね合わせた状態で前記切断具にて切断することにより、上流側ウェブの端面と下流側ウェブの端面とを付き合わせた状態で吸着ローラに保持させることができる。これにより、ウェブの接続を、ウェブの背面に吸着ローラが存在する状態で行うことができるので、テープなどにより確実かつ迅速にウェブの接続を行うことができる。
【００２８】
請求項７においては、切断したウェブを、作業者の技量に係わらず容易かつ確実に接続することができる。これにより、ウェブ切れ発生時におけるウェブ搬送装置の復旧時間を従来に比して短縮することができる。
【００２９】
請求項８においては、ウェブ切断工程において、吸着ローラの外周面に吸着された上流側ウェブおよび下流側ウェブが重ね合わせた状態で切断され、上流側ウェブの端面と下流側ウェブの端面とが付き合わされた状態で吸着ローラに保持されることとなり、ウェブの接続を、ウェブの背面に吸着ローラが存在する状態で行うことができるので、テープなどにより確実かつ迅速にウェブの接続を行うことができる。
【００３０】
請求項９においては、ウェブの接続を行う箇所に、簡易な構成で確実にウェブを保持することができる。
【００３１】
請求項１０においては、ウェブの接続を行う箇所に、簡易な構成で確実にウェブを保持することができる。
【００３２】
請求項１１においては、ウェブの接続を行う作業者が、刃物を容易に溝部に宛がうことができる。これにより、作業者は、容易に溝部に沿って適切にウェブを切断することができる。
【００３３】
請求項１２においては、ウェブを配置する位置の目安となるガイド部を、ウェブを傷つけることのない簡易な構成とすることができる。
【発明を実施するための最良の形態】
【００３４】
次に、発明の実施の形態を説明する。
まず始めに、本発明の一実施例に係るウェブ搬送装置の構成について、図１を用いて説明する。図１は本発明の一実施例に係るウェブ搬送装置（巻取部周辺）を示す模式図である。尚、本説明では、説明の便宜上、ウェブ搬送装置の巻取部周辺に配置された吸着ローラを例示して説明を行うものとするが、吸着ローラは、例えば、ウェブ搬送装置の巻出部の周辺等にも設けることが可能であり、吸着ローラの配置場所によって本発明を限定するものではない。
【００３５】
図１に示す如く、ウェブ搬送装置１の巻取部６の周辺には、ウェブ７の流れ方向の上流側から順番に、吸着ローラ２（または吸着ローラ３）、ダンサー４等が配設されており、これらの各部と複数の従動ローラ５・５・・・によって、ウェブ７の搬送経路を形成している。
【００３６】
ウェブ搬送装置１の搬送対象物であるウェブ７は、一定幅に整えられた連続する帯状の部材であり、ウェブ搬送装置１に備えられた塗工や乾燥等の各工程部（不図示）を経た後に、巻取部６の巻取ローラ６ａによってロール状に巻き取られた状態に整えられる。
【００３７】
吸着ローラ２（または吸着ローラ３）は、ウェブ７を吸着して保持することができるローラであり、吸着ローラ２（または吸着ローラ３）において、ウェブ７に付与されるテンションを調整する基準点を形成している。
尚、本発明に係るウェブ搬送装置１では、吸着ローラ２（または吸着ローラ３）がウェブ切れしたウェブ７の接続箇所となることを考慮して、吸着ローラ２（または吸着ローラ３）を、ウェブ搬送装置１内の内装部品の密集度が比較的低く、メンテナンス時に作業者が寄り付きやすい箇所を選択して配置するようにしている。
【００３８】
次に、本発明の第一実施例に係る吸着ローラについて、図２および図３を用いて説明する。図２は本発明の第一実施例に係る吸着ローラを示す平面および側面図、図３は本発明の第一実施例に係る吸着ローラを示す斜視図である。
図２および図３に示す如く、本発明の第一実施例に係る吸着ローラ２は、ローラ本体２ａとローラ軸２ｂからなり、吸着ローラ２の内部には、空隙部２ｃが形成されている。ローラ本体２ａには吸着部１４、溝部１５、ガイド部１６を備えており、また、ローラ軸２ｂには、空隙部２ｃと連通する連通孔１７を形成している。そして、連通孔１７には、排気設備１８が接続される。
【００３９】
吸着部１４には、複数の吸引孔１４ａ・１４ａ・・・を形成しており、この複数の吸引孔１４ａ・１４ａ・・・は、吸着ローラ２内に形成される空隙部２ｃと連通している。つまり、複数の吸引孔１４ａ・１４ａ・・・は、空隙部２ｃを介して連通孔１７と連通する構成としている。そして、排気設備１８によって空隙部２ｃ内を排気することにより、空隙部２ｃ内の圧力を吸着ローラ２の外部の圧力（大気圧）に比して低い圧力とすることによって、複数の吸引孔１４ａ・１４ａによる吸引作用を生じさせる構成としている。尚、排気設備１８としては、例えば、真空ポンプ等を採用することができる。
【００４０】
即ち、本発明の第一実施例に係る吸着ローラ２において、吸着部１４は、吸着ローラ２の外周面に形成される複数の吸引孔１４ａ・１４ａ・・・と、複数の吸引孔１４ａ・１４ａ・・・に接続される排気設備１８と、によって構成している。
これにより、ウェブ７の接続を行う箇所となる吸着ローラ２に、簡易な構成で確実にウェブ７を保持することができるのである。
【００４１】
溝部１５は、ローラ本体２ａの外周面において、ローラ軸２ｂに対して平行に、端面２ｄから２ｅへ至る範囲（即ち、ローラ本体２ａの全幅）に形成されるＶ字状溝である。尚、溝部１５を形成する範囲は、必ずしもローラ本体２ａの全幅とする必要はなく、搬送されるウェブ７の幅に比して広い幅となるように溝部１５の幅を設定すればよく、ウェブ７が存在していても、溝部１５の端部１５ａ・１５ｂがウェブ７によって隠れてしまわない幅とすればよい。
【００４２】
ガイド部１６は、ローラ本体２ａの端面２ｄ・２ｅから一定距離だけ離間した位置において、ローラ本体２ａの外周面にペンキ等の塗料によって描かれる２本の平行線たるガイド線１６ａ・１６ａによって構成している。このとき、ガイド線１６ａ・１６ａの間隔Ｗ１は、搬送するウェブ７の幅（即ち、図７中に示す幅Ｚ）と略一致させるようにしている。
【００４３】
次に、本発明の第二実施例に係る吸着ローラについて、図４および図５を用いて説明する。図４は本発明の第二実施例に係る吸着ローラを示す平面および側面図、図５は本発明の第二実施例に係る吸着ローラを示す斜視図である。
図４および図５に示す如く、本発明の第二実施例に係る吸着ローラ３は、ローラ本体３ａとローラ軸３ｂからなり、ローラ本体３ａには吸着部２４、溝部２５、ガイド部２６を備えている。尚、吸着ローラ３は、ウェブ７が磁力によって吸着される性質を有する場合に用いられるものである。
【００４４】
吸着部２４は、ローラ本体３ａに内蔵される電磁石２７により構成しており、電磁石２７に通電することによって発生させる磁力によって、磁力によって吸着される性質を有するウェブ７を吸着させて、吸着部２４にウェブ７を保持する構成としている。
【００４５】
即ち、ウェブ７が磁力によって吸着される性質を有する場合には、本発明の第二実施例に係る吸着ローラ３において、吸着部２４は、吸着ローラ３が有する電磁石２７によって構成している。
これにより、ウェブ７の接続を行う箇所となる吸着ローラ３に、簡易な構成で確実にウェブ７を保持することができるのである。
【００４６】
溝部２５は、第一実施例に係る吸着ローラ２に形成される溝部１５と同様に、ローラ本体３ａの外周面において、ローラ軸３ｂに対して平行に、端面３ｄから３ｅへ至る範囲（即ち、ローラ本体３ａの全幅）に形成されるＶ字状溝である。尚、溝部２５を形成する範囲は、必ずしもローラ本体３ａの全幅とする必要はなく、搬送されるウェブ７の幅に比して広い幅となるように溝部２５の幅を設定すればよく、ウェブ７が存在していても、溝部２５の端部２５ａ・２５ｂがウェブ７によって隠れてしまわない幅とすればよい。
【００４７】
また、ガイド部２６は、第一実施例に係る吸着ローラ２に形成されるガイド部１６と同様に、ローラ本体３ａの端面３ｄ・３ｅから一定距離だけ離間した位置において、ローラ本体３ａの外周面にペンキ等の塗料によって描かれる２本の平行線たるガイド線２６ａ・２６ａによって構成している。このとき、ガイド線２６ａ・２６ａの間隔Ｗ２は、搬送するウェブ７の幅（即ち、図７中に示す幅Ｚ）と略一致させるようにしている。
【００４８】
即ち、本発明の一実施例に係る吸着ローラ２・３においては、ガイド部１６・２６は、ウェブ７の幅Ｚと略同幅（幅Ｗ１およびＷ２）に描かれる２本の平行線（ガイド線１６ａ・１６ａおよびガイド線２６ａ・２６ａ）で構成している。
これにより、ウェブ７の配置の目安となるガイド部１６・２６を、ウェブ７を傷つけることのない簡易な構成とすることができるのである。
【００４９】
尚、本実施例で示す各吸着ローラ２・３は、従来のウェブ搬送装置に備えられているテンションローラに対して、溝部１５・２５およびガイド部１６・２６を追加で設けることによって、既存のテンションローラを流用することも可能である。
【００５０】
次に、本発明の一実施例に係るウェブ搬送装置におけるウェブ接続方法について、図６〜図１１を用いて説明する。図６は本発明の一実施例に係るウェブの接続状況（ウェブ切れ状態）を示す模式図、図７は本発明の一実施例に係るウェブ接続方法によるウェブ接続状況（ウェブ位置調整工程）を示す模式図、図８は本発明の一実施例に係るウェブ接続方法によるウェブ接続状況（ウェブ保持工程）を示す模式図、図９は本発明の一実施例に係るウェブ接続方法によるウェブ接続状況（ウェブ切断工程（切断時））を示す模式図、図１０は本発明の一実施例に係るウェブ接続方法によるウェブ接続状況（ウェブ切断工程（不要部除去後））を示す模式図、図１１は本発明の一実施例に係るウェブ接続方法によるウェブ接続状況（ウェブ接続工程）を示す模式図である。
尚、本例では、ウェブ搬送装置１に本発明の第一実施例に係る吸着ローラ２を備える場合を例示して説明を行うが、ウェブ搬送装置１に本発明の第二実施例に係る吸着ローラ３を備える場合であっても、同様のウェブ接続方法とすることが可能である。
【００５１】
図６に示す如く、ウェブ搬送装置１においてウェブ切れが発生すると、ウェブ７は搬送方向上流側の上流側ウェブ７ａと、搬送方向下流側の下流側ウェブ７ｂに分断された状態となる。この状態では、各ウェブ７ａ・７ｂにテンションを付与していないため、ウェブ７は、その幅方向に変位できる状態となっている。
【００５２】
図７に示す如く、ウェブ切れが発生した状態においては、ウェブ７がその幅方向に変位した状態（例えば、図７中に示すウェブ７ｃやウェブ７ｄのような状態）となり得る。ウェブ７ｃやウェブ７ｄの状態のように、ウェブ７がその幅方向に変位した状態のままで各ウェブ７ａ・７ｂを接続してしまうと、ウェブ７が平面視において部分的に曲がってしまい、ウェブ７の直線性が損なわれてしまう。そして、ウェブ７が接続箇所において曲がった状態のままウェブ搬送装置１を復旧すると、ウェブ７にしわが発生したり、搬送中のウェブ７がその幅方向に蛇行したりしてしまい、新たなウェブ切れが発生する可能性が高くなってしまう。つまり、各ウェブ７ａ・７ｂを接続するときには、ウェブ７の直線性を損なわないように接続することが重要となってくる。
【００５３】
（ウェブ位置調整工程）
図７に示す如く、本発明に係る吸着ローラ２には、その外周面にウェブ７のあるべき幅方向の配置を示すガイド部１６（ガイド線１６ａ・１６ａ）が描かれている。つまり、例えば上流側ウェブ７ａをこのガイド部１６に合わせることによって、上流側ウェブ７ａの直線性を確保することができ、同様に、下流側ウェブ７ｂをガイド部１６に合わせることによって、下流側ウェブ７ｂの直線性を確保することができる。さらに、ガイド部１６によって上流側ウェブ７ａと下流側ウェブ７ｂの位置合わせをすることにより、ウェブ７全体としての直線性を容易に確保することが可能となっている。
また、ガイド部１６は、吸着ローラ２の外周面から突起しないようにペンキ等の塗料によって描かれているため、ウェブ７がガイド部１６によって破損してしまうことがない。
【００５４】
（ウェブ保持工程）
図８に示す如く、ガイド部１６によって位置決めが成された上流側ウェブ７ａは、吸着作用を有する吸着ローラ２によって保持されるため、位置決めした状態が確実に保持される。また、ガイド部１６によって位置決めが成された下流側ウェブ７ｂも、同様に吸着ローラ２によって保持されるため、位置決めした状態が確実に保持される。
これにより、作業者がウェブ７から手を離しても、各ウェブ７ａ・７ｂの保持状態が維持されるため、従来に比して、ウェブ７の接続作業の作業性が向上している。
【００５５】
（ウェブ切断工程）
図９に示す如く、ガイド部１６によって位置決めが成された状態の各ウェブ７ａ・７ｂが吸着ローラ２に保持されている状態で、吸着ローラ２の外周面に形成されている溝部１５の一方の端部１５ａ（図７等参照）にカッター等の刃物９の刃先を宛がって、その溝部１５の端部１５ａから他方の端部１５ｂ（図７等参照）まで刃物９を移動させることによって、溝部１５に沿って各ウェブ７ａ・７ｂを切断する。
【００５６】
図２、図３および図７に示す如く、本発明に係る吸着ローラ２では、ウェブ７の幅Ｚに比して広い範囲に溝部１５を形成し、端部１５ａ・１５ｂが、ウェブ７よりも外側に位置するようにしている。これにより、作業者が刃物９（の刃先）を宛がう位置を容易に探しだすことができ、各ウェブ７ａ・７ｂを共通の位置（即ち、溝部１５）で一度の動作で切断することにより、各ウェブ７ａ・７ｂの切断を容易に行うことができる構成としている。
【００５７】
即ち、本発明の一実施例に係る吸着ローラ２・３においては、溝部１５・２５は、ウェブ７の幅Ｚに比して広い範囲（即ち、幅Ｗ１・Ｗ２とする）に形成している。
これにより、ウェブ７の接続を行う作業者が、刃物９を容易に溝部１５・２５に宛がうことができるのである。これにより、作業者は、容易に溝部１５・２５に沿って適切にウェブ７を切断することができるのである。
【００５８】
図１１に示す如く、そして、各ウェブ７ａ・７ｂの不要部を除去すると、各ウェブ７ａ・７ｂの端部（即ち、各ウェブ７ａ・７ｂの接続箇所）を突合せた状態とすることができ、各ウェブ７ａ・７ｂの端部同士をテープ１０で貼りつけやすい状態に保持することができる。
【００５９】
即ち、吸着ローラ２・３には、吸着ローラ２・３からウェブ７の搬送方向上流側へ延出する上流側ウェブ７ａと、吸着ローラ２・３からウェブ７の搬送方向下流側へ延出する下流側ウェブ７ｂとが、重ね合わせた状態で吸着ローラ２・３の外周面に保持され、ウェブ搬送装置１は、重ね合わされた状態で吸着ローラ２・３の外周面に吸着される上流側ウェブ７ａおよび下流側ウェブ７ｂを、溝部１５・２５に沿って切断するようにしており、吸着ローラ２・３の溝部１５・２５によって切断治具を構成している。
このような構成とすることにより、ウェブ切れ発生時において、吸着ローラ２・３の外周面に吸着させた上流側ウェブ７ａおよび下流側ウェブ７ｂを重ね合わせた状態で溝部１５・２５にて切断することにより、上流側ウェブ７ａの端面と下流側ウェブ７ｂの端面とを付き合わせた状態で吸着ローラ２・３に保持させることができるのである。またこれにより、ウェブ７の接続を、ウェブ７の背面に吸着ローラ２・３が存在する状態で行うことができるので、テープ１０などにより確実かつ迅速にウェブ７の接続を行うことができるのである。
【００６０】
（ウェブ接続工程）
図１１に示す如く、各ウェブ７ａ・７ｂの端部同士を突合せて保持した状態で、作業者が、各ウェブ７ａ・７ｂの端部同士をテープ１０で貼りつけてウェブ７を接続する。これにより、作業者による一連のウェブ７の接続作業が完了するが、本発明に係るウェブ搬送装置１を用いて、本発明に係るウェブ接続方法を採用することにより、作業者の技量に係わらず、容易かつ確実にウェブ７を接続することが可能となる。
【００６１】
また、本発明に係るウェブ搬送装置１を用いて、本発明に係るウェブ接続方法を採用すれば、ウェブ７の直線性や接続箇所の引張強度を確保することができ、確実にウェブ７を接続することができるため、ウェブ搬送装置１を復旧する際におけるウェブ７の搬送速度を、従来に比して高めることが可能となる。このため、ウェブ切れ発生時におけるウェブ搬送装置１の復旧時間を従来に比して短縮することが可能となる。
【００６２】
即ち、本発明に係るウェブ搬送装置１においては、ウェブ７を吸着する吸着部１４（または吸着部２４）を有する吸着ローラ２（または吸着ローラ３）を備え、ウェブ７を吸着ローラ２（または吸着ローラ３）の外周面に沿わせて搬送するウェブ搬送装置１であって、吸着ローラ２（または吸着ローラ３）の外周面にローラ軸２ｂ（またはローラ軸３ｂ）に対して平行な溝部１５（または溝部２５）を備え、かつ、吸着ローラ２（または吸着ローラ３）の外周面にローラ軸２ｂ（またはローラ軸３ｂ）に対して垂直なガイド部１６（またはガイド部２６）を備える構成としている。
【００６３】
また、本発明に係るウェブ搬送装置１によるウェブ接続方法においては、ウェブ７を吸着する吸着部１４（または吸着部２４）を有する吸着ローラ２（または吸着ローラ３）を備え、ウェブ７を吸着ローラ２（または吸着ローラ３）の外周面に沿わせて搬送するウェブ搬送装置１に適用するウェブ接続方法であって、吸着ローラ２（または吸着ローラ３）の外周面にローラ軸２ｂ（またはローラ軸３ｂ）に対して垂直に形成するガイド部１６（またはガイド部２６）を目安としてウェブ７の位置を整えるウェブ位置調整工程と、前記ウェブ位置調整工程の後に、吸着部１４（または吸着部２４）によってウェブ７を保持するウェブ保持工程と、前記ウェブ保持工程の後に、吸着ローラ２（または吸着ローラ３）の外周面にローラ軸２ｂ（またはローラ軸３ｂ）に対して平行に形成する溝部１５（または溝部２５）に沿ってウェブ７を切断するウェブ切断工程と、前記ウェブ切断工程の後に、吸着部１４（または吸着部２４）によって保持されるウェブ７を接続するウェブ接続工程と、を備える構成としている。
これにより、切断したウェブ７を、作業者の技量に係わらず容易かつ確実に接続することができるのである。また、ウェブ切れ発生時におけるウェブ搬送装置１の復旧時間を従来に比して短縮することができるのである。
【図面の簡単な説明】
【００６４】
【図１】本発明の一実施例に係るウェブ搬送装置（巻取部周辺）を示す模式図。
【図２】本発明の第一実施例に係る吸着ローラを示す平面および側面図。
【図３】本発明の第一実施例に係る吸着ローラを示す斜視図。
【図４】本発明の第二実施例に係る吸着ローラを示す平面および側面図。
【図５】本発明の第二実施例に係る吸着ローラを示す斜視図。
【図６】本発明の一実施例に係るウェブの接続状況（ウェブ切れ状態）を示す模式図。
【図７】本発明の一実施例に係るウェブ接続方法によるウェブ接続状況（ウェブ位置調整工程）を示す模式図。
【図８】本発明の一実施例に係るウェブ接続方法によるウェブ接続状況（ウェブ保持工程）を示す模式図。
【図９】本発明の一実施例に係るウェブ接続方法によるウェブ接続状況（ウェブ切断工程（切断時））を示す模式図。
【図１０】本発明の一実施例に係るウェブ接続方法によるウェブ接続状況（ウェブ切断工程（不要部除去後））を示す模式図。
【図１１】本発明の一実施例に係るウェブ接続方法によるウェブ接続状況（ウェブ接続工程）を示す模式図。
【符号の説明】
【００６５】
１      ウェブ搬送装置
２      吸着ローラ
３      吸着ローラ
７      ウェブ
１４    吸着部
１４ａ  吸引孔
１５    溝部
１６    ガイド部
１８    排気設備
２４    吸着部
２５    溝部
２６    ガイド部
２７    電磁石
【図１】
2009220964.tif 000003
【図２】
2009220964.tif 000004
【図３】
2009220964.tif 000005
【図４】
2009220964.tif 000006
【図５】
2009220964.tif 000007
【図６】
2009220964.tif 000008
【図７】
2009220964.tif 000009
【図８】
2009220964.tif 000010
【図９】
2009220964.tif 000011
【図１０】
2009220964.tif 000012
【図１１】
2009220964.tif 000013